(57)【要約】      （修正有）【課題】棒状部の形状に関わりなく装着することができ、しかも、必要時以外は名前等の個人情報を隠蔽することができる所有者情報表示具を提供する。【解決手段】所有者情報表示具は、棒状部１ａに名前等を表示する表示具２であり、表示具２は、形状が復元習性を有する帯状の弾性板からなる環状の内リング２ａと外リング２ｂによって二重に重ねられ、内リング２ａの外面には所有者情報３ａが表示される表示部が形成され、内リング２ａと外リング２ｂは折り曲げ可能に形成された屈曲部によって連結され、常時は表示部を外リング２ｂによって覆うことにより隠蔽され、屈曲部から外リング２ｂを折り曲げて内リング２ａから離脱して表示部を露出させる。【選択図】図１
0003194762.tif 000002
【実用新案登録請求の範囲】
【請求項１】
棒状部に名前等を表示する表示具であって、
前記表示具は、形状が復元習性を有する帯状の弾性板からなる内リングと外リングによって二重に重ねられ、
前記内リングの外面には所有者情報が表示される表示部が形成され、
前記内リングと前記外リングは折り曲げ可能に形成された屈曲部によって連結され、
常時は前記表示部を前記外リングによって覆うことにより隠蔽され、前記屈曲部から前記外リングを折り曲げて前記内リングから離脱して前記表示部を露出させるように構成した所有者情報表示具。
【請求項２】
外リングは屈曲部から折り返して内リングの外面の表示部を覆うように二重に重ねて巻回され、平面形状を略Ｃ字状に構成した請求項１に記載の所有者情報表示具。
【請求項３】
内リングと外リングは屈曲部を介してほぼ２周に巻回され、前記内リングの表示部を露出させるとき、前記外リングを前記屈曲部から折り曲げて前記表示部を露出させるように構成した請求項１に記載の所有者情報表示具。
【考案の詳細な説明】
【技術分野】
【０００１】  本考案は、杖や傘等の棒状に形成された棒状部に装着され、名前等を表示する所有者情報表示具に関するものである。
【背景技術】
【０００２】  杖や傘等の可搬用具は、各自の所有物であり、特に杖は、その使用者に適した仕様のものを使用する必要があるが、杖は、色や形状の種類がほぼ同じであり、見分けができないことが多々あった。そこで、自他の杖を見分けやすくするには、一般に、杖の柄（手に持つ部分）に対して、直接に名前等を書いたり、名前シール等を貼り付けたり、名札を入れた名札ケースを紐で結びつけたりしていた。一方、傘の場合は、店舗や公共場所の傘立てに置いたときの盗難を避けるために、傘の柄に名前等を書いたり、名前シール等を貼り付ける他、傘の生地を縛るバンドに対して、名前等を書いたりすることもあった。その他、特開２００６−２２７５４９号公報（特許文献１）には、環状のゴムに飾りを取り付け、この飾りに氏名を書くことが提案されている。
【先行技術文献】
【特許文献】
【０００３】
【特許文献１】特開２００６−２２７５４９号公報
【考案の概要】
【考案が解決しようとする課題】
【０００４】  杖や傘の柄に名前等を書いた場合や名前シール等を貼り付けた場合は、文字が手でこすられて消えてしまったり、雨水で汚れて読めなくなったりする欠点があった。また、名札ケースを取り付けた場合は、紐が切れて紛失したりする欠点があった。一方、傘の生地の部分をとじこむバンドに名前等を書いた場合は、バンド自体、目立たないので、名前等も当然に読みにくいという欠点があった。さらに、いずれの場合も、名前等を露出して表示していることから、個人情報を自ら漏洩するものであり、この個人情報漏洩による詐欺等の犯罪の被害に遭遇する危険があった。【０００５】  また、杖や傘等の柄に特許文献１に示される環状のゴムを装着する場合、一方端から装着部分までの外径がほぼ等しいときには、環状のゴムを一方端から挿入することが可能であるが、装着個所の両側の外径寸法が大きい場合や、ループ状に形成されている場合は、環状のゴムを装着できない問題があった。【０００６】  本考案が解決しようとする課題は、棒状部の形状に関わりなく装着することができ、しかも、必要時以外は名前等の個人情報を隠蔽することができる所有者情報表示具を提供することにある。
【課題を解決するための手段】
【０００７】  そこで、本考案による所有者情報表示具は、棒状部に名前等を表示する表示具であり、前記表示具は、形状が復元習性を有する帯状の弾性板からなる内リングと外リングによって二重に重ねられ、前記内リングの外面には所有者情報が表示される表示部が形成され、前記内リングと前記外リングは折り曲げ可能に形成された屈曲部によって連結され、常時は前記表示部を前記外リングによって覆うことにより隠蔽され、前記屈曲部から前記外リングを折り曲げて前記内リングから離脱して前記表示部を露出させるように構成したことを要旨としている。【０００８】  また、外リングは屈曲部から折り返して内リングの外面の表示部を覆うように二重に重ねて巻回され、平面形状を略Ｃ字状に構成しても良い。【０００９】  さらに、内リングと外リングは屈曲部を介してほぼ２周に巻回され、前記内リングの表示部を露出させるとき、前記外リングを前記屈曲部から折り曲げて前記表示部を露出させるように構成しても良い。
【考案の効果】
【００１０】  本考案による所有者情報表示具によれば、所有者情報が表示された表示具が復元習性を有する帯状の弾性板からなる内リングと外リングによって二重に重ね、内リングの外面の表示部に表示された所有者情報を外リングにより隠蔽するので、通常の状態においては個人情報の漏洩を防止することができる。また、所有者情報を確認するときは、内リングと外リングとの間に形成された屈曲部から外リングを折り曲げることにより表示部を露出するならば、表示部に表示された所有者情報を目視等で確認することができる。その後、再び所有者情報を隠蔽するときは、表示具が復元習性を有する帯状の弾性板によって形成されているので、外リングを内リングの外周に巻き付けることにより、元の状態に復帰することができるので、所有者情報を容易に隠蔽することができる。例えば、傘や杖等に装着した場合は、表示具を目立つ個所に装着することにより、個人情報を隠蔽した状態であっても盗難を未然に防止することが可能となる。また、表示具が復元習性を有する帯状の弾性板によって形成されているので、棒状部の両側の外径が大きい場合やループ状に形成されている場合であっても、容易に装着することができる。しかも、弾力により棒状部を抱き付くように装着するので、異なる外径の棒状部であっても装着可能となる。さらに、安価に提供できることから、特に杖を必要とするお年寄りや介護者が幅広く使用することが可能となる。【００１１】  外リングは屈曲部から折り返して内リングの外面に二重に重ねて巻回すことにより、平面形状が略Ｃ字状に構成されるので、開口部分を拡開することにより、棒状部の側方から容易に装着することが可能となる。【００１２】  また、屈曲部を介して内リングと外リングとをほぼ２周に巻回すように構成すると、棒状部に表示部を二重巻きにするだけで容易に装着することが可能となる。この表示部は、内リングと外リングとを一体の連続した弾性体によって形成できるので、安価に製造することが可能となる。
【図面の簡単な説明】
【００１３】
【図１】  本考案に関わる表示具を棒状部に装着した状態を示す正面図である。
【図２】  表示具の実施例を示す斜視図である。
【図３】  図２に示す表示具を棒状部に装着した状態の斜視図である。
【図４】  図２に示す表示具を棒状部に装着する状態を示す平面図である。
【図５】  図２に示す表示具の所有者情報を確認する状態を示す平面図である。
【図６】  本考案に関わる表示具の他の実施例を示す平面図である。
【図７】  図６に示す表示具の所有者情報を確認する状態を示す平面図である。
【図８】  （Ａ）（Ｂ）は、屈曲部の態様を示す説明図である。
【図９】  表示具を断面四角の棒状部に装着した状態を示す正面図である。
【考案を実施するための形態】
【００１４】  本考案による所有者情報表示具は、棒状部に名前等を表示する表示具であり、前記表示具は、形状が復元習性を有する帯状の弾性板からなる内リングと外リングによって二重に重ねられ、前記内リングの外面には所有者情報が表示される表示部が形成され、前記内リングと前記外リングは折り曲げ可能に形成された屈曲部によって連結され、常時は前記表示部を前記外リングによって覆うことにより隠蔽され、前記屈曲部から前記外リングを折り曲げて前記内リングから離脱して前記表示部を露出させるように構成している。
【００１５】  以下、図面に基づいて本考案の実施例を詳細に説明する。図１は、所有者情報を記した表示具２を杖１の棒状部１ａに装着した状態を示している。表示具２は、帯状の弾性板からなる環状の内リング２ａと外リング２ｂによって二重に重ねられ、内リング２ａの外面には所有者情報が表示される表示部３が形成され、この表示部３には、氏名、住所、電話番号或いは識別番号等の所有者情報３ａが表示されている。
【００１６】  表示具２を形成する弾性板は、例えば、ポリエチレン、ポリプロピレン、ナイロン、塩化ビニル、アクリル、ポリウレタン、シリコン等の合成樹脂であって、形状が復元習性を有する弾性を有する樹脂から選択される。そして、表示具２は所定の幅とした帯状の板状樹脂を、図２に示すように、内リング２ａと外リング２ｂが各々環状に形成され、二重に重ねられた内リング２ａと外リング２ｂはほぼ同径に形成され、その直径は、棒状部１ａの外径よりもやや小さい寸法に設定することが望ましい。
【００１７】  さらに、表示具２の内リング２ａと外リング２ｂは、屈曲部２ｃによって連結されていて、図２に示すように、内リング２ａと外リング２ｂとが接合する程度に屈曲部２ｃの位置で折り返されている。また、屈曲部２ｃは、蝶板のように小さな力で折り曲げ可能にするため、図８（Ａ）に示すように、幅方向の両側のみが連結され、中央部には穴が形成されている。そして、内リング２ａと外リング２ｂとを屈曲部２ｃから折り返すことによって、表示具２は略Ｃ字状に構成され、屈曲部２ｃと内リング２ａ及び外リング２ｂの端部との間に開口部分２ｄが形成される。
【００１８】  このように、内リング２ａと外リング２ｂとの間を屈曲部２ｃから折り曲げることにより、表示具２は、図３に示すように、棒状部１ａの外周に二重に重ねられた状態で装着される。この状態では、表示部３が外リング３ｂによって覆われているので隠蔽される。表示具２は弾性板によって形成されているので、表示具２自体の弾力によって内リング２ａの内周面が棒状部１ａの外周面に接合して抱き付くように装着される。
【００１９】  この表示具２を棒状部１ａに装着する方法を図４により説明する。表示具２は前述したように略Ｃ字状に構成され、屈曲部２ｃと内リング２ａ及び外リング２ｂの端部との間に開口部分２ｄが形成されている。まず、図４に示すように、表示具２自体の弾力に抗して開口部分２ｄが棒状部１ａよりも大きくなるように拡開する。その後、矢示の方向に移動させることにより、表示具２が復元習性を有していることから、棒状部１ａの外周に装着させることができる。
【００２０】  一方、内リング２ａの外面に形成された表示部３の所有者情報３ａを確認するには、外リング２ｂの端部を引き上げる。外リング２ｂも復元習性を有していることから、図５に示すように、外リング２ｂが屈曲部２ｃを支点として屈曲するとともに、大きな円弧を描いてカーリングし、内リング２ａの外面に表示されている表示部３の所有者情報３ａを目視することができる。その後、再び表示部３の所有者情報３ａを隠蔽するには、外リング２ｂの端部を屈曲部２ｃ方向に移動させることにより、外リング２ｂの復元習性によって内リング２ａの外周面に接合して抱き付くように復元される。
【００２１】  図６は、本考案の他の実施例を示している。前述した実施例と相違する点は、表示具５の内リング５ａと外リング５ｂを、屈曲部５ｃを介してほぼ２周に巻回したことである。この表示具は、内リング５ａと外リング５ｂが二重巻きになるように、予め、棒状部１ａの外径よりもやや小さい寸法となるように円筒状に巻回されている。また、この実施例においても、内リング５ａの外周面に所有者情報６ａを表示した表示部６が形成され、常時は外リング５ｂによって隠蔽されている。また、屈曲部５ｃは、前述した実施例の屈曲部２ｃと同様に、蝶板のように小さな力で折り曲げ可能にするため、図８（Ａ）に示すように、幅方向の両側のみが連結され、中央部には穴が形成されている。そして、この表示具５を棒状部１ａに装着するには、内リング５ａの外周を外リング５ｂが覆うようにほぼ２周に巻回すことにより装着すれば良い。
【００２２】  また、内リング５ａの外面に形成された表示部６の所有者情報６ａを確認するには、外リング２ｂの端部を引き上げる。外リング５ｂも復元習性を有していることから、図７に示すように、外リング５ｂが屈曲部５ｃを支点として屈曲するとともに、大きな円弧を描いてカーリングし、内リング５ａの外面に表示されている表示部６の所有者情報６ａを目視することができる。その後、再び表示部６の所有者情報６ａを隠蔽するには、外リング５ｂの端部を屈曲部５ｃ方向に移動させることにより、外リング５ｂの復元習性によって内リング５ａの外周面に接合して抱き付くように復元される。
【００２３】  図８（Ａ）（Ｂ）は、屈曲部の実施例を示している。前述した屈曲部２ｃは、蝶番のように小さな力で折り曲げ可能であって、しかも、内リング２ａと外リング２ｂを連結する機能を有している。そのため、図８（Ａ）に示す屈曲部２ｃは、前述したように、幅方向の両側のみを連結し、中央部に穴を形成することによって折り曲げ強度を小さくして、外リング２ｂを引き上げるように折り曲げても、内リング２ａを持ち上げる影響を少なくしている。なお、この屈曲部の構成は、図６に示した他の実施例においても同様である。
【００２４】  図８（Ｂ）は、屈曲部としての機能を満たすために、屈曲部５ｃに溝５ｄを形成することにより折り曲げ強度を小さくしている。このように構成することにより、図８（Ａ）に示した屈曲部と同様に、外リング５ｂを引き上げたときに、屈曲部５ｃの溝５ｄから小さな力で簡単に屈曲するようにしている。なお、この図８（Ｂ）に示す屈曲部の構成は、前述した図２に示した実施例においても同様である。
【００２５】  図９は、表示具２を装着する棒状部の変形例を示し、棒状部７を四角柱としてものである。このように、表示具２は、棒状部の形状が変化しても、同様に装着することが可能である。また、表示具２が帯状の弾性板によって形成され、しかも復元習性を有していることから、棒状部の外径が大きくても同様に装着することが可能である。
【００２６】  以上、本発明を実施例に基づき具体的に説明したが、本発明は上記実施例に限定されるものではなく、その要旨を逸脱しない範囲で種々変形可能であることは言うまでもない。前述した実施例において、棒状部として杖を例示したが、両側の外径が大きいもの、或いは環状に形成されている携行品、椅子などの家具等に形成されている棒状部分であっても良い。また、屈曲部を弾性板自体で形成したが、蝶番を内リングと外リングの間に設けても良い。また、表示具を単純な帯状に形成したが、上端側、下端側の端縁を波形に形成すること、或いは、表示具の外周面や内周面に模様を形成しても良い。また、表示具の適宜の位置に透孔を形成して識別情報としても良い。
【符号の説明】
【００２７】  １    棒状部
２    表示具
２ａ  内リング
２ｂ  外リング
２ｃ  屈曲部
３    表示部
３ａ  所有者情報
【図１】
0003194762.tif 000003
【図２】
0003194762.tif 000004
【図３】
0003194762.tif 000005
【図４】
0003194762.tif 000006
【図５】
0003194762.tif 000007
【図６】
0003194762.tif 000008
【図７】
0003194762.tif 000009
【図８】
0003194762.tif 000010
【図９】
0003194762.tif 000011